(57)【要約】【課題】ＩＳＤＮおよびｘＤＳＬの性能の評価を自動的に行なうことのできる伝送性能シミュレーションプログラムを提供する。【解決手段】本シミュレーションツールでは、まず、評価を行なう伝送方式についての特性と、漏話源となる伝送方式についての特性と、線路減衰の特性と、漏話特性と、背景雑音に関する特性とを入力して計算を実行させることで、漏話の影響等を考慮し、伝送線路長と受信信号のＳＮＲ（信号電力対雑音電力比）（または伝送速度）との関係を計算する。さらに、シミュレーションツール中の所定のモジュールや所定のパラメータに対して、計算値を実測値により近づけるようにフィッティング処理を行ない、シミュレーションして得られる理論値を実測値に合わせ込む。【選択図】        図２
2004328065.tif 000002
【特許請求の範囲】
【請求項１】
メタリックケーブルを用いた伝送システムにおける伝送性能を計算する伝送性能シミュレーションプログラムであって、
送信スペクトルの周波数特性と、漏話減衰量と、伝送線路長とを含む前記伝送システムについての設定値を受付ける受付ステップと、
前記受付けた設定値を用いて、前記伝送システムの受信信号のパワースペクトラム密度を計算する第１の計算ステップと、
前記受付けた設定値を用いて、前記伝送システムの回線とは別回線に存在する他の伝送システムの干渉ノイズ強度を計算する第２の計算ステップと、
前記計算された前記パワースペクトラム密度と、前記計算されたノイズ強度とを用いて、前記伝送線路長と受信信号の信号電力対雑音電力比または伝送速度との関係を計算する第３の計算ステップと、
前記計算された結果を出力する出力ステップとをコンピュータに実行させる、伝送性能シミュレーションプログラム。
【請求項２】
前記受付ステップでは、前記他の伝送システムに関する設定をさらに受付け、
前記第１の計算ステップでは、前記受付けた伝送システムについての設定値と前記受付けた他の伝送システムに関する設定とを用いて、前記他の伝送システムの干渉下での前記伝送システムの受信信号のパワースペクトラム密度を計算する、請求項１に記載の伝送性能シミュレーションプログラム。
【請求項３】
前記第１の計算ステップにおける計算結果と、予め設定されたしきい値とを比較することによって、前記伝送システムと前記他の伝送システムとのスペクトル適合性を判断する判断ステップをさらにコンピュータに実行させる、請求項１または２に記載の伝送性能シミュレーションプログラム。
【請求項４】
前記受付ステップでは、複数の種類の前記伝送システムについての設定値を受付け、
前記第１の計算ステップでは、前記受付ステップにおいて受付けた前記複数の種類の伝送システムについての設定値を用いて、前記伝送システムの回線とは別回線に存在する所定の他の伝送システムの干渉下での前記複数の種類の伝送システムの各々について受信信号のパワースペクトラム密度を計算し、
前記第３の計算ステップでは、前記計算された前記各々の伝送システムについてのパワースペクトラム密度と、前記計算されたノイズ強度とを用いて、前記伝送線路長と前記複数の種類の伝送システムについての受信信号の信号電力対雑音電力比または伝送速度との関係を各々計算し、
前記複数の種類の伝送システムについての計算結果を用いて、前記複数の種類の伝送システムの性能の比較を行なう比較ステップをさらにコンピュータに実行させる、請求項１〜３のいずれかに記載の伝送性能シミュレーションプログラム。
【請求項５】
前記計算された結果と実測値との間に所定の乖離が存在する場合に、前記計算された結果を前記実測値に合わせるために、前記受付ステップにおいて受付けた前記伝送システムについての設定値を合わせ込む合わせ込みステップをさらにコンピュータに実行させる、請求項１〜４のいずれかに記載の伝送性能シミュレーションプログラム。
【請求項６】
前記合わせ込まれた前記設定値を用いて前記第１の計算ステップと前記第２の計算ステップと前記第３の計算ステップとをコンピュータに実行させることによって得られる結果を、前記伝送システムとは異なる第２の伝送システムについての計算結果であると推定することを特徴とする、請求項５に記載の伝送性能シミュレーションプログラム。
【請求項７】
前記伝送システムがマルチキャリア伝送方式を用いた伝送システムである場合において、前記計算された結果は搭載ビット情報であって、前記合わせ込みを行なう前記伝送システムについての設定値は、背景雑音強度と最大トーンナンバーと最小トーンナンバーと漏話減衰量とノイズマージンとの少なくとも１つであることを特徴とする、請求項５または６に記載の伝送性能シミュレーションプログラム。
【請求項８】
前記伝送システムがシングルキャリア伝送方式またはベースバンド伝送方式を用いた伝送システムである場合において、前記計算された結果は前記伝送システムにおいて伝送可能な最大距離情報であって、前記合わせ込みを行なう前記伝送システムについての設定値は、背景雑音強度と漏話減衰量との少なくとも１つであることを特徴とする、請求項５または６に記載の伝送性能シミュレーションプログラム。
【請求項９】
メタリックケーブルを用いた伝送システムにおける伝送性能を計算する伝送性能シミュレーション方法であって、
送信スペクトルの周波数特性と、漏話減衰量と、伝送線路長とを含む前記伝送システムについての設定値を受付ける受付ステップと、
前記受付けた設定値を用いて、前記伝送システムの受信信号のパワースペクトラム密度を計算する第１の計算ステップと、
前記受付けた設定値を用いて、前記伝送システムの回線とは別回線に存在する他の伝送システムの干渉ノイズ強度を計算する第２の計算ステップと、
前記計算された前記パワースペクトラム密度と、前記計算されたノイズ強度とを用いて、前記伝送線路長と受信信号の信号電力対雑音電力比または伝送速度との関係を計算する第３の計算ステップと、
前記計算された結果を出力する出力ステップとを備える、伝送性能シミュレーション方法。
【請求項１０】
前記受付ステップでは、前記他の伝送システムに関する設定をさらに受付け、
前記第１の計算ステップでは、前記受付けた伝送システムについての設定値と前記受付けた他の伝送システムに関する設定とを用いて、前記他の伝送システムの干渉下での前記伝送システムの受信信号のパワースペクトラム密度を計算する、請求項９に記載の伝送性能シミュレーション方法。
【請求項１１】
前記第１の計算ステップにおける計算結果と、予め設定されたしきい値とを比較することによって、前記伝送システムと前記他の伝送システムとのスペクトル適合性を判断する判断ステップをさらに備える、請求項９または１０に記載の伝送性能シミュレーション方法。
【請求項１２】
前記受付ステップでは、複数の種類の前記伝送システムについての設定値を受付け、
前記第１の計算ステップでは、前記受付ステップにおいて受付けた前記複数の種類の伝送システムについての設定値を用いて、前記伝送システムの回線とは別回線に存在する所定の他の伝送システムの干渉下での前記複数の種類の伝送システムの各々について受信信号のパワースペクトラム密度を計算し、
前記第３の計算ステップでは、前記計算された前記各々の伝送システムについてのパワースペクトラム密度と、前記計算されたノイズ強度とを用いて、前記伝送線路長と前記複数の種類の伝送システムについての受信信号の信号電力対雑音電力比または伝送速度との関係を各々計算し、
前記複数の種類の伝送システムについての計算結果を用いて、前記複数の種類の伝送システムの性能の比較を行なう比較ステップをさらに備える、請求項９〜１１のいずれかに記載の伝送性能シミュレーション方法。
【請求項１３】
前記計算された結果と実測値との間に所定の乖離が存在する場合に、前記計算された結果を前記実測値に合わせるために、前記受付ステップにおいて受付けた前記伝送システムについての設定値を合わせ込む合わせ込みステップをさらに備える、請求項９〜１２のいずれかに記載の伝送性能シミュレーション方法。
【請求項１４】
前記合わせ込まれた前記設定値を用いて、前記第１の計算ステップと前記第２の計算ステップと前記第３の計算ステップとを実行することで得られる結果を、前記伝送システムとは異なる第２の伝送システムについての計算結果であると推定することを特徴とする、請求項９〜１２のいずれかに記載の伝送性能シミュレーション方法。
【請求項１５】
前記伝送システムがマルチキャリア伝送方式を用いた伝送システムである場合において、前記計算された結果は搭載ビット情報であって、前記合わせ込みを行なう前記伝送システムについての設定値は、背景雑音強度と最大トーンナンバーと最小トーンナンバーと漏話減衰量とノイズマージンとの少なくとも１つであることを特徴とする、請求項１３または１４に記載の伝送性能シミュレーション方法。
【請求項１６】
前記伝送システムがシングルキャリア伝送方式またはベースバンド伝送方式を用いた伝送システムである場合において、前記計算された結果は前記伝送システムにおいて伝送可能な最大距離情報であって、前記合わせ込みを行なう前記伝送システムについての設定値は、背景雑音強度と漏話減衰量との少なくとも１つであることを特徴とする、請求項１３または１４に記載の伝送性能シミュレーション方法。
【請求項１７】
請求項１〜８のいずれかに記載の伝送性能シミュレーションプログラムを記録した、コンピュータ読取可能な記録媒体。
【発明の詳細な説明】
【０００１】
【発明の属する技術分野】
この発明は伝送性能シミュレーションプログラム、伝送性能シミュレーション方法、および該プログラムを記録した記録媒体に関し、特に、ＩＳＤＮやｘＤＳＬの伝送性能をシミュレートする伝送性能シミュレーションプログラム、伝送性能シミュレーション方法、および該プログラムを記録した記録媒体に関する。
【０００２】
【従来の技術】
近年、メタリックケーブル（銅線回線）を用いた伝送システムであって、高速にデジタルデータの伝送を行なう技術であるｘＤＳＬ（Ｄｉｇｉｔａｌ  Ｓｕｂｓｃｒｉｂｅｒ  Ｌｉｎｅ）が急速に普及している。
【０００３】
例えば、日本においては、ＡＤＳＬ（Ａｓｙｍｍｅｔｒｉｃ  Ｄｉｇｉｔａｌ  Ｓｕｂｓｃｒｉｂｅｒ  Ｌｉｎｅ）と言われる伝送方法が実用化されている。ＡＤＳＬは、Ａｓｙｍｍｅｔｒｉｃ；非対称と言われる如く、電話局から利用者への下り方向の伝送速度は１．５〜１２Ｍｂｐｓであり、利用者から電話局への上り方向の伝送速度は最大１６〜１Ｍｂｐｓであることを特徴としている。また、ｘＤＳＬの１つとして、経路の一部に光ファイバを用い、電話局から利用者への下り方向の伝送速度は１３〜５２Ｍｂｐｓ、利用者から電話局への上り方向の伝送速度は１．５〜３０Ｍｂｐｓ、最大伝送距離は３００ｍ（下り５２Ｍｂｐｓ）〜１ｋｍ（下り１３Ｍｂｐｓ）であることを特徴とするＶＤＳＬ（Ｖｅｒｙ  ｈｉｇｈ−ｂｉｔ−ｒａｔｅ  Ｄｉｇｉｔａｌ  Ｓｕｂｓｃｒｉｂｅｒ  Ｌｉｎｅ）もある。
【０００４】
このようなｘＤＳＬでは、電話における音声伝送では使用しない高周波帯域も用いて、Ｍｂｐｓクラスの高速データ転送を行なうことができる反面、使用する周波数の関係によって、漏話（ｃｒｏｓｓｔａｌｋ）と言われるノイズによる伝送性能低下の問題点が指摘されている。
【０００５】
通常、電話ケーブルには複数の回線が１つにまとめられている構造となっているため、同一ケーブル内の別回線で伝送されている信号が、自回線にノイズとして取込まれる。これが漏話と呼ばれ、受信信号のＳＮＲ（信号電力対雑音電力比）を悪化させ、伝送可能な線路長や伝送速度を低下させる主な原因となっている。さらに、漏話が大きい場合、線路長が長い回線へはｘＤＳＬのサービスを提供できないこともありうる。そのため、ｘＤＳＬやＩＳＤＮ相互間のスペクトラム適合性を検討し、その結果、漏話によって大きく影響を及ぼし合うと思われる伝送方式同士では、ケーブル内の回線の制限を行なうなど、何らかの対策が必要となる。
【０００６】
【非特許文献１】
社団法人電信電話技術委員会制定、「ＴＴＤ標準Ｓｔａｎｄａｒｄ  ＪＪ−１００．０１  メタリック加入者線伝送システムのスペクトル管理（Ｓｐｅｃｔｒｕｍ  Ｍａｎａｇｅｍｅｎｔ  ｆｏｒ  Ｍｅｔａｌｌｉｃ  Ｔｒａｎｓｍｉｓｓｉｏｎ  Ｓｙｓｔｅｍｓ）」、第１版、２００１年１１月２７日制定
【０００７】
【発明が解決しようとする課題】
しかしながら、従来のｘＤＳＬの性能評価の手法で行なわれていたように、種々の条件の下でシミュレーションを用いず、実測による評価を行なうことは、測定準備等で膨大な手間や時間がかかるという問題があった。また、条件によっては、実験室レベルでは構築できないという問題もあった。そのため、様々な環境下でのｘＤＳＬの性能評価が、限られた範囲でしか行なうことができないという問題があった。
【０００８】
また、上述のように、実測による性能評価を行なう場合、機器の特性や実験環境の要因により、実測評価ごとに環境が異なってくる。また、これまで主なｘＤＳＬ全種類の性能を同一条件に計算できるプログラムが存在していなかった。そのため、同じ条件の下での異なる種類のｘＤＳＬの性能を比較することが困難であるという問題があった。さらに、異なる種類のｘＤＳＬ回線が同一ケーブル内に収容されたときに発生する相互干渉の大小（スペクトル適合性）を判断することが困難であるという問題もあった。
【０００９】
本発明はこれらの問題に鑑みてなされたものであり、ＩＳＤＮやｘＤＳＬの性能の評価を計算により行なうことのできる伝送性能シミュレーションプログラム、伝送性能シミュレーション方法、および該プログラムを記録した記録媒体を提供することを目的とする。
【００１０】
【課題を解決するための手段】
上記目的を達成するために、本発明のある局面に従うと、伝送性能シミュレーションプログラムは、メタリックケーブルを用いた伝送システムにおける伝送性能を計算する伝送性能シミュレーションプログラムであって、送信スペクトルの周波数特性と、漏話減衰量と、伝送線路長とを含む前記伝送システムについての設定値を受付ける受付ステップと、受付けた設定値を用いて、伝送システムの受信信号のパワースペクトラム密度を計算する第１の計算ステップと、受付けた設定値を用いて、伝送システムの回線とは別回線に存在する他の伝送システムの干渉ノイズ強度を計算する第２の計算ステップと、計算されたパワースペクトラム密度と、計算されたノイズ強度とを用いて、伝送線路長と受信信号の信号電力対雑音電力比または伝送速度との関係を計算する第３の計算ステップと、計算された結果を出力する出力ステップとをコンピュータに実行させる。
【００１１】
上述の伝送性能シミュレーションプログラムを用いることで、メタリックケーブルを用いた伝送システムであるｘＤＳＬやＩＳＤＮの性能を、効率的に計算することができる。
【００１２】
また、上述の受付ステップでは、他の伝送システムに関する設定をさらに受付け、第１の計算ステップでは、受付けた伝送システムについての設定値と受付けた他の伝送システムに関する設定とを用いて、他の伝送システムの干渉下での伝送システムの受信信号のパワースペクトラム密度を計算することが望ましい。
【００１３】
このような伝送性能シミュレーションプログラムを用いることで、主なｘＤＳＬの全種類やＩＳＤＮについて、主な回線の全ての環境下で、性能を１つのプログラムで計算することができる。すなわち、このような伝送性能シミュレーションプログラムにおいて、設定値を変更することのみで、Ｉ主なｘＤＳＬの全種類やＳＤＮについて、主な回線の全ての環境下での性能を計算することができる。
【００１４】
また、伝送性能シミュレーションプログラムは、第１の計算ステップにおける計算結果と、予め設定されたしきい値とを比較することによって、伝送システムと他の伝送システムとのスペクトル適合性を判断する判断ステップをさらにコンピュータに実行させることが望ましい。
【００１５】
このような伝送性能シミュレーションプログラムを用いることで、異なる種類のｘＤＳＬやＩＳＤＮの性能を、同一条件で算出することができる。そのため、当該条件でのＩＳＤＮやｘＤＳＬの性能を比較することができる。
【００１６】
また、上述の受付ステップでは、複数の種類の伝送システムについての設定値を受付け、第１の計算ステップでは、受付ステップにおいて受付けた複数の種類の伝送システムについての設定値を用いて、伝送システムの回線とは別回線に存在する所定の他の伝送システムの干渉下での複数の種類の伝送システムの各々について受信信号のパワースペクトラム密度を計算し、第３の計算ステップでは、計算された各々の伝送システムについてのパワースペクトラム密度と、計算されたノイズ強度とを用いて、伝送線路長と複数の種類の伝送システムについての受信信号の信号電力対雑音電力比または伝送速度との関係を各々計算し、伝送性能シミュレーションプログラムは、複数の種類の伝送システムについての計算結果を用いて、複数の種類の伝送システムの性能の比較を行なう比較ステップをさらにコンピュータに実行させることが望ましい。
【００１７】
このような伝送性能シミュレーションプログラムを用いることで、ＩＳＤＮや複数のｘＤＳＬ間における干渉を計算し、所定の判断基準と比較することができる。そのため、スペクトル適合性の大小を自動的に判断することができる。
【００１８】
また、伝送性能シミュレーションプログラムは、計算された結果と実測値との間に所定の乖離が存在する場合に、計算された結果を実測値に合わせるために、受付ステップにおいて受付けた伝送システムについての設定値を合わせ込む合わせ込みステップをさらにコンピュータに実行させることが望ましい。
【００１９】
このような伝送性能シミュレーションプログラムにおいて、設定パラメータを機器の特性に応じて入力することのみで、実測では困難な条件での機器の性能を推定することができる。
【００２０】
さらに、伝送性能シミュレーションプログラムは、合わせ込まれた設定値を用いて、第１の計算ステップと第２の計算ステップと第３の計算ステップとをコンピュータに実行させることによって得られる結果を、伝送システムとは異なる第２の伝送システムについての計算結果であると推定することが望ましい。
【００２１】
このような伝送性能シミュレーションプログラムにおいて、従来の機器の設定パラメータを用いることで、開発途上や開発予定の機器であって、未だ実在しない機器の性能を推定することができる。
【００２２】
さらに、上述の伝送システムがマルチキャリア伝送方式を用いた伝送システムである場合においては、計算された結果は搭載ビット情報であって、合わせ込みを行なう伝送システムについての設定値は、背景雑音強度と最大トーンナンバーと最小トーンナンバーと漏話減衰量とノイズマージンとの少なくとも１つであることが望ましい。
【００２３】
このことによって、ｘＤＳＬ伝送方式などのマルチキャリア伝送方式を用いた伝送システムについての性能の推定を行なうことができる。
【００２４】
あるいは、上述の伝送システムがシングルキャリア伝送方式またはベースバンド伝送方式を用いた伝送システムである場合においては、計算された結果は伝送システムにおいて伝送可能な最大距離情報であって、合わせ込みを行なう伝送システムについての設定値は、背景雑音強度と漏話減衰量との少なくとも１つであることが望ましい。
【００２５】
このことによって、ＩＳＤＮ伝送方式などのシングルキャリア伝送方式またはベースバンド伝送方式を用いた伝送システムについての性能の推定を行なうことができる。
【００２６】
本発明の他の局面に従うと、伝送性能シミュレーション方法は、メタリックケーブルを用いた伝送システムにおける伝送性能を計算する伝送性能シミュレーション方法であって、送信スペクトルの周波数特性と、漏話減衰量と、伝送線路長とを含む伝送システムについての設定値を受付ける受付ステップと、受付けた設定値を用いて、伝送システムの受信信号のパワースペクトラム密度を計算する第１の計算ステップと、受付けた設定値を用いて、伝送システムの回線とは別回線に存在する他の伝送システムの干渉ノイズ強度を計算する第２の計算ステップと、計算されたパワースペクトラム密度と、計算されたノイズ強度とを用いて、伝送線路長と受信信号の信号電力対雑音電力比または伝送速度との関係を計算する第３の計算ステップと、計算された結果を出力する出力ステップとを備える。
【００２７】
上述の伝送性能シミュレーション方法を用いることで、メタリックケーブルを用いた伝送システムであるｘＤＳＬやＩＳＤＮの性能を、効率的に計算することができる。
【００２８】
また、上述の受付ステップでは、他の伝送システムに関する設定をさらに受付け、第１の計算ステップでは、受付けた伝送システムについての設定値と受付けた他の伝送システムに関する設定とを用いて、他の伝送システムの干渉下での伝送システムの受信信号のパワースペクトラム密度を計算することが望ましい。
【００２９】
このような伝送性能シミュレーション方法を用いることで、主なｘＤＳＬの全種類やＩＳＤＮについて、主な回線の全ての環境下で、性能を１つのプログラムで計算することができる。すなわち、このような伝送性能シミュレーション方法において、設定値を変更することのみで、主なｘＤＳＬの全種類やＩＳＤＮについて、主な回線の全ての環境下での性能を計算することができる。
【００３０】
また、伝送性能シミュレーション方法は、第１の計算ステップにおける計算結果と、予め設定されたしきい値とを比較することによって、伝送システムと他の伝送システムとのスペクトル適合性を判断する判断ステップをさらに備えることが望ましい。
【００３１】
このような伝送性能シミュレーション方法を用いることで、異なる種類のｘＤＳＬやＩＳＤＮの性能を、同一条件で算出することができる。そのため、当該条件でのＩＳＤＮやｘＤＳＬの性能を比較することができる。
【００３２】
また、上述の受付ステップでは、複数の種類の伝送システムについての設定値を受付け、第１の計算ステップでは、受付ステップにおいて受付けた複数の種類の伝送システムについての設定値を用いて、伝送システムの回線とは別回線に存在する所定の他の伝送システムの干渉下での複数の種類の伝送システムの各々について受信信号のパワースペクトラム密度を計算し、第３の計算ステップでは、計算された各々の伝送システムについてのパワースペクトラム密度と、計算されたノイズ強度とを用いて、伝送線路長と複数の種類の伝送システムについての受信信号の信号電力対雑音電力比または伝送速度との関係を各々計算し、複数の種類の伝送システムについての計算結果を用いて、複数の種類の伝送システムの性能の比較を行なう比較ステップをさらに備えることが望ましい。
【００３３】
このような伝送性能シミュレーション方法を用いることで、ＩＳＤＮや複数のｘＤＳＬ間における干渉を計算し、所定の判断基準と比較することができる。そのため、スペクトル適合性の大小を自動的に判断することができる。
【００３４】
また、伝送性能シミュレーショ方法は、計算された結果と実測値との間に所定の乖離が存在する場合に、計算された結果を実測値に合わせるために、受付ステップにおいて受付けた伝送システムについての設定値を合わせ込む合わせ込みステップをさらに備えることが望ましい。
【００３５】
このような伝送性能シミュレーション方法において、設定パラメータを機器の特性に応じて入力することのみで、実測では困難な条件での機器の性能を推定することができる。
【００３６】
さらに、伝送性能シミュレーショ方法は、合わせ込まれた設定値を用いて、第１の計算ステップと第２の計算ステップと第３の計算ステップとを実行することで得られる結果を、伝送システムとは異なる第２の伝送システムについての計算結果であると推定することが望ましい。
【００３７】
このような伝送性能シミュレーション方法において、従来の機器の設定パラメータを用いることで、開発途上や開発予定の機器であって、未だ実在しない機器の性能を推定することができる。
【００３８】
さらに、上述の伝送システムがマルチキャリア伝送方式を用いた伝送システムである場合においては、計算された結果は搭載ビット情報であって、合わせ込みを行なう伝送システムについての設定値は、背景雑音強度と最大トーンナンバーと最小トーンナンバーと漏話減衰量とノイズマージンとの少なくとも１つであることが望ましい。
【００３９】
このことによって、ｘＤＳＬ伝送方式などのマルチキャリア伝送方式を用いた伝送システムについての性能の推定を行なうことができる。
【００４０】
あるいは、上述の伝送システムがシングルキャリア伝送方式またはベースバンド伝送方式を用いた伝送システムである場合においては、計算された結果は伝送システムにおいて伝送可能な最大距離情報であって、合わせ込みを行なう伝送システムについての設定値は、背景雑音強度と漏話減衰量との少なくとも１つであることが望ましい。
【００４１】
このことによって、ＩＳＤＮ伝送方式などのシングルキャリア伝送方式またはベースバンド伝送方式を用いた伝送システムについての性能の推定を行なうことができる。
【００４２】
本発明のさらに他の局面に従うと、記録媒体はコンピュータ読取可能な記録媒体であって、上述の伝送性能シミュレーションプログラムを記録する。
【００４３】
【発明の実施の形態】
以下に、図面を参照しつつ、本発明の実施の形態について説明する。
【００４４】
本実施の形態においては、図１に示されるような回線モデルにおける、様々な条件下で漏話ノイズの影響の評価を行なうことが可能なシミュレーションプログラム（以下、単にシミュレーションプログラムと言う）について説明を行なう。すなわち、図１を参照して、自回線送信機から自回線受信機に対して自回線を介して伝送を行なう際の、漏話源である他回線からの影響や、背景雑音などの影響下での伝送評価を行なうプログラムである。
【００４５】
本発明のシミュレーションプログラムは、メタリックケーブル（銅線回線）を用いた伝送システムである、ＡＤＳＬ（Ａｓｙｍｍｅｔｒｉｃ  Ｄｉｇｉｔａｌ  Ｓｕｂｓｃｒｉｂｅｒ  Ｌｉｎｅ）やＶＤＳＬ（Ｖｅｒｙ  ｈｉｇｈ−ｂｉｔ−ｒａｔｅ  Ｄｉｇｉｔａｌ  Ｓｕｂｓｃｒｉｂｅｒ  Ｌｉｎｅ）などのｘＤＳＬの伝送特性について、線路長と受信信号のＳＮＲとの関係を出力することを特徴とする。また、ｘＤＳＬについて、線路長と伝送可能速度との関係を出力することを特徴とする。
【００４６】
さらに本実施の形態におけるシミュレーションプログラムは、デジタル回線を用いた伝送システムであるＩＳＤＮの伝送特性について、線路長と受信信号のＳＮＲとの関係も出力することを特徴とする。また、ＩＳＤＮについて、線路長と伝送可能速度との関係を出力することを特徴とする。
【００４７】
次に、図２に、本シミュレーションプログラムにおけるシミュレーション方法について示す。
【００４８】
図２を参照して、本シミュレーションプログラムにおいては、自回線の送信信号の送信ＰＳＤ（電力スペクトル密度：Ｓ）と、遠端漏話と近端漏話と白色雑音とからなるノイズ（Ｎ）とを考慮して、性能計算としてＳ／Ｎ比（ｓｉｇｎａｌ−ｔｏ−ｎｏｉｓｅ  ｒａｔｉｏ；信号電力対雑音電力比）計算を行ない、計算されたＳ／Ｎ比を用いて伝送性能を評価する。
【００４９】
上述の自回線における伝送ＰＳＤや漏話回線における伝送ＰＳＤは、各々の伝送方式に依存する値である。伝送ＰＳＤに、伝送線路の絶縁材質や直径に依存する線路減衰を考慮することで、信号電力（Ｓ）を得る。具体的には、自回線における伝送ＰＳＤを求める際には、自回線における送信スペクトルに自回線の線路減衰や絶縁材質等を含む線路減衰特性を考慮して、送信信号の信号電力を得る。また、漏話回線における伝送ＰＳＤを求める際には、近端側の漏話スペクトルに線路減衰や絶縁材質等を含む近端漏話特性を考慮し、遠端側の漏話スペクトルに線路減衰や絶縁材質等を含む遠端漏話特性を考慮して、漏話による信号電力を得る。なお、近端漏話および遠端漏話については後述する。
【００５０】
また、ノイズを構成する白色雑音は背景雑音の強度に依存する。
このように、Ｓ／Ｎ比計算は伝送方式に依存し、さらにイコライザ（等化器）の種類にも依存する。
【００５１】
以下に、本シミュレーションプログラムの各過程において採用されている計算方法について説明を行なう。
【００５２】
（１）始めに、ＳＮＲを計算するためには、まず、周波数ごとの受信信号（自回線側）のＰＳＤと雑音強度（漏話回線側）のＰＳＤとをそれぞれ求める。
【００５３】
上述のＰＳＤからＳＮＲを求める計算方法は、伝送方法や、通信機に搭載されているイコライザの方式によって異なる。
【００５４】
そこで、以下に、通信機にイコライザとして、ＩＳＤＮの性能計算に使用するリニアイコライザとＡＮＳＩ（米国規格協会）の規格によるＩＳＤＮの性能計算に使用するリニアイコライザとが搭載されている場合のＩＳＤＮにおける伝送でのＳＮＲの計算、およびＤＦＥ（Ｄｅｃｉｓｉｏｎ  ＦｅｅｄＢａｃｋ  Ｅｕｑａｌｉｚｅｒ：判定帰還型等化器）が搭載されている場合のｘＤＳＬにおける伝送でのＳＮＲの計算について説明する。またマルチキャリア方式でのｘＤＳＬにおける伝送でのＳＮＲの計算について説明する。
【００５５】
（１−１）リニアイコライザ
リニアイコライザによる計算手法は、線路減衰の逆特性（既知の特性）を受信信号のＰＳＤに乗じる手法である。
【００５６】
図２を参照して、受信信号のＰＳＤは、送信信号のＰＳＤに線路減衰を乗じて得られる。そのため、イコライザを透過し線路減衰の逆特性を乗じると、イコライザを透過した後の受信信号のＰＳＤは、送信信号のＰＳＤと等しくなる。よって、求めるＳＮＲ（ｄＢ）は次の（１）式に示される。
【００５７】
【数１】
2004328065.tif 000003
【００５８】
ただし、上述の（１）式において、Ｓ（ｆ）は送信信号強度で、単位はｍＷ／Ｈｚであり、後に述べるＰＳＤを用いる。このとき、ｄＢｍ／ＨｚからｍＷ／Ｈｚへ単位の変換を行なう必要がある。
【００５９】
Ｎ（ｆ）は雑音強度で、単位はｍＷ／Ｈｚである。
線路減衰の逆特性である｜Ｈ（ｆ）｜−２は、後に詳述する線路減衰特性の｜Ｈ（ｆ）｜２の逆数である。
【００６０】
Ｆ（ｆ）は受信フィルタであり、使用する端末機の特性に依存する。なおＩＳＤＮのシミュレーションにおいては、コサインロールオフフィルタを仮定して、Ｆ（ｆ）を以下の（２）式のように与える。
【００６１】
【数２】
2004328065.tif 000004
【００６２】
なお、上述の（２）式において、シンボルレートｆｓｙｍは、図３に示される値を用いる。
【００６３】
（１−２）ＡＮＳＩによるリニアイコライザ
ＡＮＳＩ（米国規格協会）の規格によるＩＳＤＮ伝送を対象とする手法である。
【００６４】
ＡＮＳＩによるリニアイコライザによって、求めるＳＮＲ（ｄＢ）は次の（３）式に示される。
【００６５】
【数３】
2004328065.tif 000005
【００６６】
なお、上述の（２）式において、シンボルレートｆｓｙｍは、図３に示される値を用いる。
【００６７】
また、ｆ−ＳＮＲとは、ｆｏｌｄｅｄ  ＳＮＲ（折返しＳＮＲ）のことであり、以下の（４）式に示される。
【００６８】
【数４】
2004328065.tif 000006
【００６９】
ただし、上述の（４）式において、Ｓ（ｆ）は送信信号強度で、単位はｍＷ／Ｈｚであり、後に述べるＰＳＤを用いる。このとき、ｄＢｍ／ＨｚからｍＷ／Ｈｚへ単位の変換を行なう必要がある。Ｎ（ｆ）は雑音強度で、単位はｍＷ／Ｈｚである。｜Ｈ（ｆ）｜２は線路減衰の特性である。
【００７０】
（１−３）ベースバンド用ＤＥＦ
ＤＦＥが搭載されている場合のｘＤＳＬにおける伝送とは、具体的には、速度固定型の伝送方式である２Ｂ１Ｑ（Ｔｗｏ  Ｂｉｎａｒｙ  ｔｏ  Ｏｎｅ  Ｑｕａｔｅｒｎａｒｙ）方式やＰＡＭ（Ｐｕｌｓｅ  Ａｍｐｌｉｔｕｄｅ  Ｍｏｄｕｌａｔｉｏｎ）方式を採用するｘＤＳＬにおける伝送であって、ＨＤＳＬやＳＨＤＳＬなどが該当する。このときのＤＦＥは、ベースバンド用の伝送方法に使用するＡＮＳＩによるＤＦＥである。この場合の、求めるＳＮＲ（ｄＢ）は次の（５）式に示される。
【００７１】
【数５】
2004328065.tif 000007
【００７２】
なお、上述の（５）式において、シンボルレートｆｓｙｍは、図３に示される値を用いる。
【００７３】
また、ｆ−ＳＮＲとは、ｆｏｌｄｅｄ  ＳＮＲのことであり、以下の（６）式に示される。
【００７４】
【数６】
2004328065.tif 000008
【００７５】
ただし、上述の（６）式において、Ｓ（ｆ）は送信信号強度で、単位はｍＷ／Ｈｚであり、後に述べるＰＳＤを用いる。このとき、ｄＢｍ／ＨｚからｍＷ／Ｈｚへ単位の変換を行なう必要がある。Ｎ（ｆ）は雑音強度で、単位はｍＷ／Ｈｚである。｜Ｈ（ｆ）｜２は線路減衰の特性である。
【００７６】
（１−４）パスバンド用ＤＦＥ
ＤＦＥが搭載されている場合のｘＤＳＬにおける伝送として、他のＤＦＥであるパスバンド用のＤＦＥが搭載されている場合のＳＮＲの計算方法についても説明する。
【００７７】
この場合には、ベースバンド用の伝送方法に使用するＡＮＳＩによるＤＦＥを搭載した場合に対して、中心の帯域がｆｃ（ｋＨｚ）に移動したものと考えるとよく、求めるＳＮＲ（ｄＢ）は次の（７）式に示される。
【００７８】
【数７】
2004328065.tif 000009
【００７９】
なお、上述の（７）式において、シンボルレートｆｓｙｍは、図３に示される値を用い、中心の帯域ｆｃは、欧州向けのｘＤＳＬの技術仕様であるＧ．９９１．１  ＡｎｎｅｘＢ（ＣＡＰ  １−ｐａｉｒ）およびＧ．９９１．１  ＡｎｎｅｘＢ（ＣＡＰ  ２−ｐａｉｒｓ）では、２２６ｋＨｚおよび１３８ｋＨｚとなる。
【００８０】
また、ｆ−ＳＮＲとは、ｆｏｌｄｅｄ  ＳＮＲのことであり、以下の（８）式に示される。
【００８１】
【数８】
2004328065.tif 000010
【００８２】
ただし、上述の（８）式において、Ｓ（ｆ）は送信信号強度で、単位はｍＷ／Ｈｚであり、後に述べるＰＳＤを用いる。このとき、ｄＢｍ／ＨｚからｍＷ／Ｈｚへ単位の変換を行なう必要がある。Ｎ（ｆ）は雑音強度で、単位はｍＷ／Ｈｚである。｜Ｈ（ｆ）｜２は線路減衰の特性である。
【００８３】
（１−５）マルチキャリア方式
さらに、マルチキャリア方式でのｘＤＳＬ伝送方式であって、速度可変な伝送方式であるＡＤＳＬやＳＳＤＳＬの場合には、ｍ番目からｎ番目までの各サブキャリアに搭載できるビット数の総和ｂを求めた上で、伝送速度を導き出し、ＳＮＲを求める。なお、ｍ番目からｎ番目までの各サブキャリアに搭載できるビット数の総和ｂは、以下の（９）式に示される。
【００８４】
【数９】
2004328065.tif 000011
【００８５】
ただし、上述の（９）式において、Ｓｉ（ｆ）はｉ番目のサブキャリアの送信信号強度で、Ｎｉ（ｆ）はｉ番目のサブキャリアの雑音強度で、｜Ｈｉ（ｆ）｜２はｉ番目のサブキャリアの線路減衰の特性である。また、Γは実効ＳＮＲギャップで、次式を満たす。
【００８６】
Γ＝９．７５−Ｃ＋Ｍ
ただし、Ｃはコーディングゲイン、Ｍはノイズマージンであって、いずれも、各伝送方法を評価するために用いられる固有のパラメータである。
【００８７】
ＡＤＳＬなどバイト単位で伝送されるシステムでは、ビット数の総和ｂは、８の倍数となるよう切り捨てられる。
【００８８】
伝送速度を求めるためには、この値にシンボルレートを乗算すればよい。
（２）次に、本シミュレーションプログラムにおいて挿入されるノイズについて説明を行なう。
【００８９】
ノイズには様々な種類のものがあるが、本シミュレーションプログラムにおいては、漏話と白色雑音とを加法的ノイズとして挿入する。つまり、ノイズＮ（ｆ）は、以下の（１０）式に示される。
【００９０】
【数１０】
2004328065.tif 000012
【００９１】
ただし、上述の（１０）式において、ＰＳＤＮＥＸＴ（ｆ）およびＰＳＤＦＥＸＴ（ｆ）は、近端漏話および遠端漏話の量を表わす。詳細は後述する。また、Ｗ（ｆ）は、白色雑音の大きさを表わす。通常、白色雑音として−１４０ｄＢｍ／Ｈｚを採用する。
【００９２】
さらに、近端漏話と遠端漏話とについて、図を挙げて説明を行なう。図４は、近端漏話と遠端漏話とを示す図である。
【００９３】
図４を参照して、漏話には、近端漏話および遠端漏話と呼ばれる２種類の漏話がある。通常、遠端漏話よりも近端漏話の方がはるかに大きい。
【００９４】
なお、近端漏話が発生しない場合の例として、時間的に上り信号と下り信号とを分離することにより他の伝送方式と同期をとる場合が挙げられる。具体的には、ＩＳＤＮ（Ｊａｐａｎ）と、日本向けのｘＤＳＬの技術仕様であるＧ．９９２．１／  Ｇ．９９２．２（ＡＤＳＬ）ＡｎｎｅｘＣ−ＦＢＭとＧ．９９２．１  ＡｎｎｅｘＨとは、互いに４００Ｈｚで同期がとられているので、これらの伝送方式による漏話の影響を算出する際には、近端漏話が発生しないものとして近端漏話を計算しない。
【００９５】
なお、漏話の強度は、漏話源の送信信号の強度、同一ケーブル内に存在する漏話源の回線数、および伝送線路の材質に依存し、伝送方式には依存しない。
【００９６】
次に、近端漏話と遠端漏話との各々について説明を行なう。
（２−１）近端漏話
近端漏話のＰＳＤ（強度）（ｍＷ／Ｈｚ）は、以下の（１１）式に示される。
【００９７】
【数１１】
2004328065.tif 000013
【００９８】
ただし、上述の（１１）式において、ＰＳＤｄｉｓｔｕｒｂｅｒは、漏話源からの送信信号強度（ｍＷ／Ｈｚ）で、後に述べるＰＳＤを用いる。このとき、ｄＢｍ／ＨｚからｍＷ／Ｈｚへ単位の変換を行なう必要がある。
【００９９】
また、ＮＰＳＬは１６０ｋＨｚでの近端漏話減衰量を示す定数であって、ＩＴＵ−ＴＳ（国際電気通信連合）によって定められた所定の値を用いる。
【０１００】
（２−２）遠端漏話
遠端漏話のＰＳＤ（強度）（ｍＷ／Ｈｚ）は、以下の（１２）式に示される。
【０１０１】
【数１２】
2004328065.tif 000014
【０１０２】
ただし、上述の（１２）式において、ＦＰＳＬは１６０ｋＨｚでの近端漏話減衰量を示す定数であって、ＩＴＵ−ＴＳによって定められた所定の値を用いる。
【０１０３】
（３）次に、線路減衰について説明を行なう。
線路減衰は、減衰定数と伝送線路長とに依存する。
【０１０４】
伝送経路の減数定数をＫＬＯＯＰ（ｄＢ／ｋｍ）、線路長をｄ（ｋｍ）とすると、下線路減衰特性｜Ｈ（ｆ）｜２は、以下の（１３）式に示される。
【０１０５】
【数１３】
2004328065.tif 000015
【０１０６】
なお、図５に代表的な材質および直径の伝送線における伝送線路減衰定数のグラフを示す。図５は、４種類の材質および直径の伝送線における伝送線減衰定数を示す図である。
【０１０７】
（４）本シミュレーションプログラムでは、このようにして得られた送信側（自回線側）のＰＳＤと漏話側（漏話回線側）のＰＳＤとからＳ／Ｎ比を求め、ｘＤＳＬおよびＩＳＤＮの伝送特性の評価を行なう。以下に、自回線側の伝送方式がＩＳＤＮおよび具体的なｘＤＳＬである場合の、自回線側の伝送特性の評価を行なうための計算方法について示す。
【０１０８】
（４−１）ＩＳＤＮの伝送特性の評価
ＩＳＤＮの伝送特性の評価は、上述の（１−１）で説明されるリニアイコライザが搭載されている場合のＩＳＤＮにおける伝送でのＳＮＲを用いて行なう。このときのノイズとしては、上述の（２−１）で説明された近端漏話と、（２−２）で説明された遠端漏話と、通常の白色雑音である−１４０ｄＢｍ／Ｈｚの白色雑音との総和を用いる。そして、計算されたＳＮＲをしきい値である２６．４６（ｄＢ）と比較し、計算されたＳＮＲがしきい値以上である場合に、ＩＳＤＮ方式での伝送が可能であるとの評価を行なう。
【０１０９】
（４−２）ＡＤＳＬ（Ｇ．９９２．１／Ｇ．９９２．２  ＡｎｎｅｘＡ）の伝送特性の評価
ＡＤＳＬのうちのＧ．９９２．１／Ｇ．９９２．２  ＡｎｎｅｘＡの伝送特性の評価は、上述の（１−５）で説明されるマルチキャリア方式で伝送を行なうｘＤＳＬにおける伝送でのＳＮＲを用いて行なう。このときのノイズとしては、上述の（２−１）で説明された近端漏話と、（２−２）で説明された遠端漏話と、通常の白色雑音である−１４０ｄＢｍ／Ｈｚの白色雑音との総和を用いる。なお、その他のパラメータとしては、図６に示すパラメータを用いるものとする。
【０１１０】
（４−３）ＡＤＳＬ（Ｇ．９９２．１／Ｇ．９９２．２  ＡｎｎｅｘＣ）の伝送特性の評価
ＡＤＳＬのうちのＧ．９９２．１／Ｇ．９９２．２  ＡｎｎｅｘＣ−ＦＤＭの伝送特性の評価は、同様に、上述の（１−５）で説明されるＳＮＲを用いて行なう。このときのノイズとしては、上述の（２−１）で説明された近端漏話と、（２−２）で説明された遠端漏話と、通常の白色雑音である−１４０ｄＢｍ／Ｈｚの白色雑音との総和を用いる。ただし、漏話源がＩＳＤＮと同期して伝送するような方式である場合には、ＰＳＤＮＥＸＴ（ｆ）として近端漏話と白色雑音との和を、ＰＳＤＦＥＸＴ（ｆ）として遠端漏話と白色雑音との和を用いて、上述の（２−１）で説明された近端漏話と（２−２）で説明された遠端漏話とを漏話源として用いる。なお、その他のパラメータとしては、図６に示すパラメータと同様のパラメータを用いるものとする。
【０１１１】
（４−４）ＳＳＤＳＬ（Ｇ．９９２．１  ＡｎｎｅｘＨ）の伝送特性の評価
ＡＤＳＬ規格の１つであるＧ．９９２．１（Ｇ．ｄｍｔ）の付帯規格で、同規格をベースにした伝送方法であるＳＳＤＳＬ（Ｇ．９９２．１  ＡｎｎｅｘＨ）の伝送特性の評価は、同様に、上述の（１−５）で説明されるＳＮＲを用いて行なう。このときのノイズとしては、上述の（２−１）で説明された近端漏話と、（２−２）で説明された遠端漏話と、通常の白色雑音である−１４０ｄＢｍ／Ｈｚの白色雑音との総和を用いる。ただし、漏話源がＩＳＤＮと同期して伝送するような方式である場合には、ノイズとして遠端漏話と白色雑音との和を用いて、上述の（２−１）で説明された近端漏話と（２−２）で説明された遠端漏話とを漏話源として用いる。なお、その他のパラメータとしては、図７に示すパラメータを用いるものとする。
【０１１２】
（４−５）ＳＨＤＳＬの伝送特性の評価
上下対称型ｘＤＳＬの技術仕様であるＳＨＤＳＬの伝送特性の評価は、上述の（１−３）で説明されるＤＦＥが搭載されている場合のｘＤＳＬにおける伝送でのＳＮＲを用いて行なう。このときのノイズとしては、上述の（２−１）で説明された近端漏話と、（２−２）で説明された遠端漏話と、通常の白色雑音である−１４０ｄＢｍ／Ｈｚの白色雑音との総和を用いる。そして、計算されたＳＮＲをしきい値である２９．７（ｄＢ）と比較し、計算されたＳＮＲがしきい値以上である場合に、ＳＨＤＳＬ方式での伝送が可能であるとの評価を行なう。
【０１１３】
（４−６）２Ｂ１Ｑ方式を採用するＳＤＳＬの伝送特性の評価
２Ｂ１Ｑ方式を採用するＳＤＳＬの伝送特性の評価は、同様に、上述の（１−３）で説明されるＳＮＲを用いて行なう。このときのノイズとしては、上述の（２−１）で説明された近端漏話と、（２−２）で説明された遠端漏話と、通常の白色雑音である−１４０ｄＢｍ／Ｈｚの白色雑音との総和を用いる。そして、計算されたＳＮＲをしきい値である２７．４（ｄＢ）と比較し、計算されたＳＮＲがしきい値以上である場合に、ＳＤＳＬ方式での伝送が可能であるとの評価を行なう。
【０１１４】
（５）次に、漏話側として各伝送方式を想定した場合の、漏話側の伝送信号ＰＳＤについて、説明を行なう。なお、各伝送方式の特性は図８に示される。
【０１１５】
（５−１）漏話源の伝送方式がＴＣＭ−ＡＭＩ  ＩＳＤＮ（Ｊａｐａｎ）である場合
ＴＣＭ−ＡＭＩ  ＩＳＤＮ（Ｊａｐａｎ）の伝送方式自身がＩＳＤＮの漏話源となる場合の、漏話側の伝送信号ＰＳＤは、以下の（１４）式に示される。なお、この場合の装置インピーダンスは１１０（Ω）である。
【０１１６】
【数１４】
2004328065.tif 000016
【０１１７】
ただし、上述の（１４）式において、ｆは周波数を示し、ｆ０＝３２０×１０３（Ｈｚ）、ｆ３ｄＢ＝２×ｆ０とする。また、ＫＤＳＬは係数で、ＫＤＳＬ＝ＶＯＰ２／４Ｒ（Ｗ）とする。また、装置インピーダンスが１１０（Ω）のときに、ＶＯＰはＶＯＰ＝６．００（Ｖ）であるものとする。
【０１１８】
（５−２）漏話源の伝送方式が２Ｂ１Ｑ  ＩＳＤＮ（ＵＳＡ）である場合
２Ｂ１Ｑ  ＩＳＤＮ（ＵＳＡ）の伝送方式が漏話源となる場合の、漏話側の伝送信号ＰＳＤは、以下の（１５）式に示される。なお、この場合の装置インピーダンスは１３５（Ω）である。
【０１１９】
【数１５】
2004328065.tif 000017
【０１２０】
さらに、上述のＴＣＭ−ＡＭＩ  ＩＳＤＮ（Ｊａｐａｎ）が漏話源となる場合の漏話側の伝送信号ＰＳＤと、２Ｂ１Ｑ  ＩＳＤＮ（ＵＳＡ）が漏話源となる場合の漏話側の伝送信号ＰＳＤとについて、図９に示す。
【０１２１】
（５−３）漏話源の伝送方式がＧ．９９２．１／Ｇ．９９２．２（ＡＤＳＬ  Ｇ．ｄｍｔ／Ｇ．ｌｉｔｅ）ＡｎｎｅｘＡ／ＡｎｎｅｘＣ−ＤＢＭの下り方向である場合
Ｇ．９９２．１／  Ｇ．９９２．２（ＡＤＳＬ  Ｇ．ｄｍｔ／Ｇ．ｌｉｔｅ）ＡｎｎｅｘＡ／ＡｎｎｅｘＣ−ＤＢＭの下り方向の伝送方式が漏話源となる場合の漏話側の伝送信号ＰＳＤは、以下の（１６）式に示される。
【０１２２】
【数１６】
2004328065.tif 000018
【０１２３】
（５−４）漏話源の伝送方式がＧ．９９２．１／  Ｇ．９９２．２（ＡＤＳＬ  Ｇ．ｄｍｔ／Ｇ．ｌｉｔｅ）ＡｎｎｅｘＡ／ＡｎｎｅｘＣ−ＤＢＭの上り方向である場合
Ｇ．９９２．１／  Ｇ．９９２．２（ＡＤＳＬ  Ｇ．ｄｍｔ／Ｇ．ｌｉｔｅ）ＡｎｎｅｘＡ／ＡｎｎｅｘＣ−ＤＢＭの上り方向の伝送方式が漏話源となる場合の漏話側の伝送信号ＰＳＤは、以下の（１７）式に示される。
【０１２４】
【数１７】
2004328065.tif 000019
【０１２５】
さらに、上述のＧ．９９２．１／  Ｇ．９９２．２（ＡＤＳＬ  Ｇ．ｄｍｔ／Ｇ．ｌｉｔｅ）ＡｎｎｅｘＡ／ＡｎｎｅｘＣ−ＤＢＭの下り方向が漏話源となる場合の漏話側の伝送信号ＰＳＤと、上り方向が漏話源となる場合の漏話側の伝送信号ＰＳＤとについて、図１０および図１１に示す。図１０は、Ｇ．９９２．１  （ＡＤＳＬ  Ｇ．ｄｍｔ）ＡｎｎｅｘＡ／ＡｎｎｅｘＣ−ＤＢＭの下り方向が漏話源となる場合の漏話側の伝送信号ＰＳＤと、上り方向が漏話源となる場合の漏話側の伝送信号ＰＳＤとを示す図であり、図１１は、Ｇ．９９２．２  （ＡＤＳＬ  Ｇ．ｌｉｔｅ）ＡｎｎｅｘＡ／ＡｎｎｅｘＣ−ＤＢＭの下り方向が漏話源となる場合の漏話側の伝送信号ＰＳＤと、上り方向が漏話源となる場合の漏話側の伝送信号ＰＳＤとを示す図である。
【０１２６】
（５−５）漏話源の伝送方式がＧ．９９１．１（ＨＤＳＬ）  ＡｎｎｅｘＡ（２Ｂ１Ｑ）  である場合
Ｇ．９９１．１（ＨＤＳＬ）  ＡｎｎｅｘＡ（２Ｂ１Ｑ）の伝送方式が漏話源となる場合の漏話側の伝送信号ＰＳＤは、以下の（１８）式に示される。なお、この場合の装置インピーダンスは１３５（Ω）である。
【０１２７】
【数１８】
2004328065.tif 000020
【０１２８】
（５−６）ＳＤＳＬ（２Ｂ１Ｑ）
ＡＮＳＩに規定される、ＳＤＳＬ（２Ｂ１Ｑ）の伝送方式が漏話源となる場合の漏話側の伝送信号ＰＳＤは、以下の（１９）式に示される。なお、この場合の装置インピーダンスは１３５（Ω）である。
【０１２９】
【数１９】
2004328065.tif 000021
【０１３０】
ただし、上述の（１９）式において、シンボルレートｆｓｙｍは、図３に示される値を用いる。
【０１３１】
さらに、上述のＧ．９９１．１（ＨＤＳＬ）  ＡｎｎｅｘＡ（２Ｂ１Ｑ）が漏話源となる場合の漏話側の伝送信号ＰＳＤと、ＳＤＳＬ（２Ｂ１Ｑ）が漏話源となる場合の漏話側の伝送信号ＰＳＤとについて、図１２に示す。図１２は、Ｇ．９９１．１（ＨＤＳＬ）  ＡｎｎｅｘＡ（２Ｂ１Ｑ）が漏話源となる場合と、ＳＤＳＬ（２Ｂ１Ｑ）が漏話源となる場合とにおいて、ＳＤＳＬ（２Ｂ１Ｑ）におけるデータ伝送速度が７８４（ｋｂｐｓ）、１５５２（ｋｂｐｓ）、および２３２０（ｋｂｐｓ）である場合の漏話側の伝送信号ＰＳＤを示す図である。
【０１３２】
（５−７）漏話源の伝送方式がＧ．９９１．１（ＨＤＳＬ）ＡｎｎｅｘＢ（ＣＡＰ  １−ｐａｉｒ／２−ｐａｉｒｓ）  である場合
Ｇ．９９１．１（ＨＤＳＬ）ＡｎｎｅｘＢ（ＣＡＰ  １−ｐａｉｒ／２−ｐａｉｒｓ）  が漏話源となる場合は、図１３および図１４に示されるＰＳＤ平均電力のグラフおよび表を参照して送信電力を求めることで漏話側の伝送信号ＰＳＤを得る。図１３は、ＨＤＳＬ（ＣＡＰ）が漏話源となる場合の漏話側の送信信号ＰＳＤ平均電力のグラフを示し、図１４は表を示す。なお、この場合の装置インピーダンスは１３５（Ω）である。
【０１３３】
（５−８）漏話源の伝送方式がＧ．９９１．２（ＳＨＤＳＬ，ＰＡＭ）ＡｎｎｅｘＡ  Ａｓｙｍｍｔｒｉｃ  ＰＳＤ  １．５Ｍｂｐｓの下り方向である場合
Ｇ．９９１．２（ＳＨＤＳＬ，ＰＡＭ）ＡｎｎｅｘＡ  Ａｓｙｍｍｔｒｉｃ  ＰＳＤ  １．５Ｍｂｐｓの下り方向が漏話源となる場合は、ＰＳＤマスクのグラフと表とを参照して送信電力を求めることで漏話側の伝送信号ＰＳＤを得る。
【０１３４】
図１５および図１６は、Ｇ．９９１．２（ＳＨＤＳＬ，ＰＡＭ）ＡｎｎｅｘＡ  Ａｓｙｍｍｔｒｉｃ  ＰＳＤ  １．５Ｍｂｐｓの下り方向が漏話源となる場合の、ＰＳＤマスクのグラフおよび表を示す図である。なお、図１５は、Ｐｏｗｅｒ  Ｂａｃｋｏｆｆが０（ｄＢ）のときのＰＳＤマスクのグラフを示す図であり、図１６に示される各周波数でのＰＳＤマスクの表に示されるＰＳＤマスク値を直線で結んだものである。なお、この場合の装置インピーダンスは１３５（Ω）である。
【０１３５】
（５−９）漏話源の伝送方式がＧ．９９１．２（ＳＨＤＳＬ，ＰＡＭ）ＡｎｎｅｘＡ  Ａｓｙｍｍｔｒｉｃ  ＰＳＤ  １．５Ｍｂｐｓの上り方向である場合
Ｇ．９９１．２（ＳＨＤＳＬ，ＰＡＭ）ＡｎｎｅｘＡ  Ａｓｙｍｍｔｒｉｃ  ＰＳＤ  １．５Ｍｂｐｓの上り方向が漏話源となる場合は、上述の、Ｇ．９９１．２（ＳＨＤＳＬ，ＰＡＭ）ＡｎｎｅｘＡ  Ａｓｙｍｍｔｒｉｃ  ＰＳＤ  １．５Ｍｂｐｓの下り方向が漏話源となる場合と同様に、ＰＳＤマスクのグラフと表とを参照して送信電力を求めることで漏話側の伝送信号ＰＳＤを得る。
【０１３６】
図１７および図１８は、Ｇ．９９１．２（ＳＨＤＳＬ，ＰＡＭ）ＡｎｎｅｘＡ  Ａｓｙｍｍｔｒｉｃ  ＰＳＤ  １．５Ｍｂｐｓの上り方向が漏話源となる場合の、ＰＳＤマスクのグラフおよび表を示す図である。なお、図１７は、Ｐｏｗｅｒ  Ｂａｃｋｏｆｆが０（ｄＢ）のときのＰＳＤマスクのグラフを示す図であり、図１８に示される各周波数でのＰＳＤマスクの表に示されるＰＳＤマスク値を直線で結んだものである。なお、この場合の装置インピーダンスは１３５（Ω）である。
【０１３７】
（５−１０）漏話源の伝送方式がＧ．９９１．２（ＳＨＤＳＬ，ＰＡＭ）ＡｎｎｅｘＡ  Ｓｙｍｍｔｒｉｃ  ＰＳＤである場合
Ｇ．９９１．２（ＳＨＤＳＬ，ＰＡＭ）ＡｎｎｅｘＡ  Ｓｙｍｍｔｒｉｃ  ＰＳＤの伝送方式が漏話源となる場合の漏話側の伝送信号ＰＳＤは、以下の（２０）式に示される。
【０１３８】
【数２０】
2004328065.tif 000022
【０１３９】
また、上述の（２０）式において用いられているＳＨＤＳＬ（対称ＰＳＤ）のパラメータを図１９に示す。図１９は、Ｇ．９９１．２（ＳＨＤＳＬ，ＰＡＭ）ＡｎｎｅｘＡ  Ｓｙｍｍｔｒｉｃ  ＰＳＤが漏話源となる場合の漏話側の伝送信号ＰＳＤに用いられるパラメータを示す図である。なお、この場合の装置インピーダンスは１３５（Ω）である。
【０１４０】
さらに、ＳＨＤＳＬ（対称ＰＳＤ）の伝送方式における伝送信号ＰＳＤについて、図２０に示す。図２０は、ＳＨＤＳＬ（対称ＰＳＤ）の伝送方式が漏話源となる場合において、データ伝送速度が１５３６（ｋｂｐｓ）、７６８（ｋｂｐｓ）、および３８４（ｋｂｐｓ）のときの漏話側の伝送信号ＰＳＤを示す図である。
【０１４１】
（５−１１）漏話源の伝送方式がＧ．９９２．１  ＡｎｎｅｘＨ（ＳＳＤＳＬ）である場合
Ｇ．９９２．１  ＡｎｎｅｘＨ（ＳＳＤＳＬ）の伝送方式が漏話源となる場合の漏話側の伝送信号ＰＳＤは、上り方向および下り方向とも、Ｇ．９９２．１（ＡＤＳＬ  Ｇ．ｄｍｔ）  の伝送方式が漏話源となる場合の漏話側の伝送信号ＰＳＤと同じであるため、ここでの説明は繰返さない。
【０１４２】
（６）次に、本実施の形態のシミュレーションプログラムについて説明を行なう。
【０１４３】
本シミュレーションプログラムは、計算装置に上述の計算を行なわせることで、他の伝送方式の影響下でのＩＳＤＮの伝送特性、他の伝送方式の影響下でのＧ．９９１．２（ＳＨＤＳＬ，ＰＡＭ）ＡｎｎｅｘＡ  Ｓｙｍｍｔｒｉｃ  ＰＳＤ  １．５Ｍｂｐｓの伝送特性、および他の伝送方式の影響下でのＧ．９９１．１（ＨＤＳＬ）ＡｎｎｅｘＡ（２Ｑ１Ｂ）などのｘＤＳＬの伝送特性について、線路長と受信信号のＳＮＲとの関係を自動的に出力させることで評価を行なう。
【０１４４】
このような本シミュレーションプログラムは、基本となる計算ソフトウェアとして、Ｅｘｃｅｌ（Ｒ）等の表計算ソフトウェアを用いて構成することができる。また、本シミュレーションプログラムで実行されるの計算プログラムは、ブロック単位でモジュール化されており、必要に応じて組合せて用いられる。
【０１４５】
なお、以下に、本シミュレーションプログラムを表計算ソフトウェアを用いて構成した際の、具体的なワークシートについて説明を行なう。
【０１４６】
図２１は、ＩＳＤＮの伝送特性を評価するためのシミュレーションプログラムのワークシートの一部の具体例を示す図である。図２１に示されるワークシートは、メイン画面を示す図である。
【０１４７】
図２１に示されるメイン画面において、実際にシミュレーション計算を行なう。具体的には、すべてのパラメータをワークシートの所定の欄に入力し、「計算実行」のボタンを押下すると計算が開始する。ＩＳＤＮの伝送特性を評価する場合には、上述の（５−１）で述べたように、計算されたＩＳＤＮの伝送特性のＳＮＲをしきい値と比較することで、ＩＳＤＮ方式での伝送の可否を評価する。そのため、図２１に示されるメイン画面においては、各路線長におけるＩＳＤＮの伝送特性のＳＮＲを表示している。さらに、所定のしきい値と比較することで、各路線長において、ＩＳＤＮ方式での伝送の可否を表示してもよい。
【０１４８】
図２１に示すようなシミュレーションプログラムにおいて用いる伝送線路の減衰特性を、一覧表として図２２に示す。
【０１４９】
図２２においては、１（ｋＨｚ）ごとの減衰定数が表１に示され、０．４ｍｍの紙絶縁テーブルの値が示されている。また、４．３１２５（ｋＨｚ）ごとの減衰定数が表２に示され、０．４ｍｍの紙絶縁テーブルを含む９種類のケーブルの値が示されている。
【０１５０】
本シミュレーションプログラムがＥｘｃｅｌ（Ｒ）等の表計算ソフトウェアを用いて構成されているため、図２２に示されるような伝送線路の減衰特性の一覧表をシミュレーションプログラムにワークシートとして含ませることで、シミュレーションプログラムを実行させる際に、当該一覧表を読出しながら実行させることができる。
【０１５１】
また、本シミュレーションプログラムがＥｘｃｅｌ（Ｒ）等の表計算ソフトウェアを用いて構成されているため、任意の計算過程での値を表示させることができる。具体的に、図２３に、本シミュレーションプログラムの実行途中で算出されるすべての伝送方式の送信信号ＰＳＤと近端漏話によるＰＳＤとを出力させるためのワークシートの具体例を示す。
【０１５２】
このように、表計算ソフトウェアを用いて構成されている本シミュレーションにおいては、計算に使用するＰＳＤ値等が正しいか否かを確認するために、任意の計算過程において、図２３に示されるような画面を出力することが可能である。また、図２３に示される表に計算されている伝送方式のうち、漏話源のＮＥＸＴと漏話される伝送方式のＰＳＤとをグラフ化することにより、各伝送方法の漏話の程度を比較することができる。それによって、相対的な漏話のおおよその影響具合を推定することができる。
【０１５３】
このような本シミュレーションプログラムを用いてシミュレーション計算を行なう場合には、図２１に示されるメイン画面のうち、二重線で囲われているセルに、評価する伝送方式についてのパラメータを入力する。また、漏話側のパラメータも入力する。そして、全てのパラメータを入力した後に、「計算実行」のボタンをクリックすると、計算が実行される。
【０１５４】
なお、ここで、評価する伝送方式についてのパラメータとして複数の種類から任意のパラメータを入力することが可能である。その場合、各伝送方法について性能計算を行ない、さらに、それらの比較を行なうこともできる。このことは、図２１に示されるメイン画面において、性能を評価する伝送方式についてのパラメータの入力を、複数種類の伝送方式について受付け、所定の計算式を各伝送方式について実行させることで実現される。
【０１５５】
計算は、図２１には示されない他のデータシートに含まれる上述の計算式を実行させることで実現される。また、さらに他のデータシートに、漏話源の候補である複数の伝送方式についての特性値が記録され、入力された漏話側のパラメータに応じて、対応する伝送方式の特性値を読出して計算を行なう。
【０１５６】
計算が終了すると、伝送線路の距離と受信信号のＳＮＲとの関係を示す表が、図２１に示される画面（「計算実行」ボタンの下）に出力される。また、計算結果が表示される（表の右側）。
【０１５７】
また、図２４および図２５は、ＡＤＳＬの伝送特性を評価するためのシミュレーションプログラムのワークシートの一部の具体例を示す図である。図２４に示されるワークシートは、メイン画面を示す図であって、漏話源や背景雑音等の環境条件に関するパラメータを入力するワークシートである。図２５に示されるワークシートは、ＡＤＳＬ伝送を行なう機器の条件に関するパラメータを入力するワークシートである。そして、全てのパラメータを入力した後に、図２４のメイン画面上の「計算実行」のボタンをクリックすると、計算が実行される。なお、ここでの計算の詳細については、上述のＩＳＤＮの伝送特性を評価するためのワークシートと同様であるため、ここでの説明は繰返さない。
【０１５８】
さらに、本シミュレーションプログラムで用いる各モジュールにおいて実行されている計算について具体的に説明を行なう。本シミュレーションプログラムの各モジュールで用いる計算プログラムは、Ｖｉｓｕａｌ  Ｂａｓｉｃ（Ｒ）等のマクロ言語で構成されている。以下には、その具体例として、Ｖｉｓｕａｌ  Ｂａｓｉｃ（Ｒ）形式のコードから構成されているモジュールについて説明を行なう。
【０１５９】
Ｖｉｓｕａｌ  Ｂａｓｉｃ（Ｒ）では、ユーザ定義のプログラムを用いることにより、プログラムコードのモジュール化が可能である。
【０１６０】
モジュールは、図２に示される各ブロックごと、つまり、送信信号の送信スペクトル計算モジュール、線路減衰特性モジュール、漏話信号の送信スペクトル（近端側、遠端側）計算モジュール、近端漏話特性計算モジュール、遠端漏話特性計算モジュール、Ｓ／Ｎ比計算モジュール、および伝送速度計算モジュール（マルチキャリア方式のみ）からなる。また、常用対数やｓｉｎｃ関数計算モジュールなど、上記計算を補完するモジュールもある。
【０１６１】
本シミュレーションプログラムがこのようなモジュールで構成されていることで、新方式の送信スペクトルや新規イコライザの登場など、プログラムの追加や修正が必要になったとき、該当するモジュールを書換えればよいため、保守や拡張が容易であるという利点がある。
【０１６２】
（７）次に、本シミュレーションプログラムに対する合わせ込みについて説明する。
【０１６３】
本シミュレーションプログラムは、上述のようにＶｉｓｕａｌ  Ｂａｓｉｃ（Ｒ）等のマクロ言語で構成された、Ｅｘｃｅｌ（Ｒ）等の表計算ソフトウェアを用いて構成されているため、所定のモジュールや、所定のパラメータを書換えることによって、計算値を実測値により近づけるように合わせ込むことができる。
【０１６４】
このような本シミュレーションプログラムを用いることで、実測による実験と比較して、大幅に手間やコストを削減できる。そのため、ＩＳＤＮやｘＤＳＬの性能を効率的に計算することができる。また、効率的に短時間で様々な漏話条件を想定した結果を得たいときに有効である。
【０１６５】
さらに、本シミュレーションプログラムでは、各種パラメータの計算をモジュール化しているため、容易に他のツールに本シミュレーションプログラムの情報を移植することが可能である。すなわち、通常使用するパラメータをプログラムの中身を変更せずに自由に設定することができ、操作性に優れている。また、既存のシミュレーションプログラムにも対応することができ、互換性にも優れている。
【０１６６】
また、上述の如く、本実施の形態におけるシミュレーションプログラムが、複数のモジュールを組合せた構成であるため、ＩＳＤＮおよび主なｘＤＳＬの全種類、すなわち、主な加入回線の全ての環境下でのＩＳＤＮおよびｘＤＳＬの性能について計算することができる。すなわち、本実施の形態におけるシミュレーションプログラムの、設定値を変更するのみで、ＩＳＤＮおよび主なｘＤＳＬの全種類の性能結果を得ることができる。
【０１６７】
また、本実施の形態におけるシミュレーションプログラムを用いて、ＩＳＤＮおよび異なる種類のｘＤＳＬの性能を、同一の条件下で算出することにより、当該条件でのＩＳＤＮおよびｘＤＳＬの性能を比較することができる。
【０１６８】
さらに、本実施の形態におけるシミュレーションプログラムを用いることで、ＩＳＤＮとｘＤＳＬ間、ｘＤＳＬ間の干渉を計算することができる。そのため、算出された干渉と、判定基準とを比較することによって、スペクトル適合性の大小を、自動判定することができる。
【０１６９】
このように本シミュレーションプログラムにおいては、様々な条件下でのＩＳＤＮやｘＤＳＬの性能をシミュレーションして評価を行なうことができる。また、シミュレーションした値に基づいて上述のフィッティング処理を行なって合わせ込みを実行させることで、実測に近いシミュレーションを得ることができる。さらに、図２６に示されるように、実測を行なうことなく、ＩＳＤＮやｘＤＳＬの性能を予測して評価することができる。以下に、上述のフィッティング処理の具体例として、ＡＤＳＬである、Ｇ９９２．２  ＡｎｎｅｘＣ下りの速度性能の推定を行なう場合について説明を行なう。ここでは、具体的に、実測値と理論値とのそれぞれのビットマップを取得して比較する例について述べる。
【０１７０】
ビットマップとは、ＡＤＳＬのようなマルチキャリア伝送方式の場合、複数のサブキャリアが独立なビット数を搭載できることを特徴とする。例えば、Ｇ９９２．２方式のＡＤＳＬの場合には、トーンナンバーＮｏ．３３〜Ｎｏ．１２７までの９５個のサブキャリアが独立なビット数を搭載できる。この場合、各トーンが各々掲載しているビット数を示すグラフや表をビットマップという。ビットマップの取得の仕方については、一般的な方法を用いることができるため、ここでの説明は行なわない。
【０１７１】
このようなビットマップを用いた比較は、ＡＤＳＬにおける実測値と計算値との比較において効果的な方法であるが、比較方法は、ビットマップでの比較に限定されず、その他の方法を用いた比較であっても構わない。なお、その場合には、以下に述べるフィッティングパラメータは比較方法に応じたものを用いることが好ましい。
【０１７２】
このような、ＡＤＳＬの速度性能の推定を行なう場合のフィッティング処理の具体例について、図２７にフローチャートを示す。なお、以下の処理例においては、具体的に、実測できる条件が、背景雑音（ホワイトノイズ）環境下とＡＤＳＬ漏話環境下との２通りあるものとする。また、ＡＤＳＬ機器がビットマップを表示する機能を備えるものとする。
【０１７３】
図２７を参照して、始めに、ステップＳ１０１において、背景雑音環境下におけるＡＤＳＬ伝送方式でのビットマップの理論値と実測値とを求める。ここでの求め方については、本発明において限定されるものでなく、一般的な方法を用いて構わない。なお、ここでのシミュレーションに用いたパラメータは、図６のＧ９９２．２に示されているパラメータである。
【０１７４】
次に、求めたビットマップの理論値と実測値とについて、有意な乖離が見られる場合（Ｓ１０３でＹＥＳ）、ステップＳ１０５において、それらのビットマップを合致させるように、背景雑音強度、最大トーンナンバー、あるいは最小トーンナンバーを合わせ込む。
【０１７５】
なお、ステップＳ１０５における合わせ込み処理については、後述する。
次に、ステップＳ１０７において、ＡＤＳＬ漏話環境下におけるＡＤＳＬ伝送方式でのビットマップの理論値と実測値とを求める。このとき、上述のステップＳ１０５で合わせ込みを実行した場合には、合わせ込まれた背景雑音強度等を用いてＡＤＳＬ漏話環境下におけるＡＤＳＬ伝送方式でのビットマップの理論値を求める。
【０１７６】
次に、求めたビットマップの理論値と実測値とについて、有意な乖離が見られる場合（Ｓ１０９でＹＥＳ）、ステップＳ１１１において、それらのビットマップを合致させるように、漏話減衰量、あるいはノイズマージンを合わせ込む。
【０１７７】
以上で、フィッティング処理を終了し、このようにして合わせ込まれた値を用いることで、実測できない条件での速度推定を行なうことができる。
【０１７８】
ＡＤＳＬ伝送方式での伝送速度は、ビット数の和にシンボルレートを掛け合わせて得られるため、ＡＤＳＬ伝送方式での伝送速度にはサブキャリアごとに搭載したビット数の和が直接関係する。そのため、実際の環境や機器特性に近づけ、実際の速度を推定する上で、ビットマップの合わせこみは重要であり、大きな助けとなる。
【０１７９】
なお、上述のフィッティング処理のステップＳ１０５およびステップＳ１１１における合わせ込み処理について具体例を挙げながら説明する。
【０１８０】
背景雑音環境下の理論計算でのビットマップと実測でのビットマップとが具体的に図２８のようであった場合、ステップＳ１０３においては、理論計算と実測とでは有意な乖離が見られると判断する。ここでの判断方法については本発明において限定されるものではないが、具体的には、理論計算でのビットマップ上の所定のトーンナンバーにおいて、理論計算でのビットマップと実測でのビットマップとの搭載ビット数に、しきい値以上の差異が存在することを検出することで判断されても構わない。また、その他の方法で判断されても構わない。このように有意な乖離が見られると判断されると、上述のステップＳ１０５にてフィッティングパラメータを用いて、合わせ込みを実行する。
【０１８１】
（最大、最小トーンナンバーの合わせ込み）
図２８を参照して、理論計算でのビットマップと実測でのビットマップとにおいて、最大トーンナンバーおよび最小トーンナンバーが乖離しているので、ステップＳ１０５においては、これらを合わせ込み、使用する周波数帯域を調整する必要がある。具体的には、図２８を参照して、実測では、最小トーンナンバーは３６から開始し、４２まで徐々に搭載ビット数が上昇している。これは、イコライザ等の機器の特性に依存するもので、シミュレーションにおいて模擬することが困難である。そこで、理論計算での最大トーンナンバーおよび最小トーンナンバーを実測でのそれに合わせ込む際、理論計算での最小トーンナンバーを３６と４２との中間の値である３９とし、最大トーンナンバーを１１７と１２２との中間の値である１１９として、シミュレーションでの使用キャリアを変更する。そして、ＡＤＳＬ伝送速度を近似する。このようにすることで、シミュレーションにおいて搭載可能な全ビット数を、実質的に実測に合わせ込むことができる。このような最大、最小トーンナンバーの合わせ込みを行なった後の理論計算でのビットマップと実測でのビットマップとを、図２９に示す。
【０１８２】
（背景雑音強度の合わせ込み）
次に、図２９を参照して、理論計算でのビットマップと実測でのビットマップとを比較して、実測での搭載ビット数が、全体にわたって理論計算における搭載ビット数に対して１ビット低い。このことから、実測の背景雑音が理論計算で想定している背景雑音（−１４０ｄＢｍ／Ｈｚ）より高いと推定し、背景雑音強度の合わせ込みを行なう。背景雑音強度を合わせ込むことにより、漏話ノイズが背景雑音よりも小さいキャリアの搭載ビット数を、一様にフィッティングさせることができる。
【０１８３】
通常、１ビット余分に搭載するには、３ｄＢ分ＳＮＲが高くなることを要求される。このことに基づいて、図２９に示される本具体例においては、実測によるＳＮＲが理論計算によるＳＮＲよりも３ｄＢ分低いものと推定し、背景雑音を−１３７ｄＢｍ／Ｈｚとして再計算する。なお、ここでの推定は、上述のように予め所定の背景雑音を仮定して再計算を行なってもよいし、ある程度の範囲の背景雑音について順次再計算を行なって、その都度実測でのビットマップとフィットするか否かを判定し、最適な背景雑音を検出しても構わない。このような背景雑音強度の合わせ込みを行なった後の理論計算でのビットマップと実測でのビットマップとを、図３０に示す。
【０１８４】
このような合わせ込み処理が上述のステップＳ１０５で行なわれることによって、各サブキャリアの搭載ビット数の和（ビットマップの面積に相当する）は、理論計算と実測とでほぼ一致する。したがって、この合わせ込み処理を行なうことで、伝送速度もほぼ一致する。これで、背景雑音下での速度の合わせ込みが完了する。
【０１８５】
（漏話減衰量、ノイズマージンの合わせ込み）
次に、ＡＤＳＬ漏話環境下の理論計算でのビットマップと実測でのビットマップとが具体的に図３１のようであった場合、ステップＳ１０９においては、理論計算と実測とでは有意な乖離が見られると判断する。ここでの判断方法についても、上述のステップＳ１０３における判断方法と同様であるため、説明は繰返さない。このように有意な乖離が見られると判断されると、上述のステップＳ１１１にてフィッティングパラメータを用いて、合わせ込みを実行する。
【０１８６】
一般的に、漏話が存在する場合は、背景雑音が存在する場合に比べて伝送条件が悪いため、搭載ビット数が低い。また、高周波帯域（トーンナンバーの大なる帯域）ではさらに伝送条件が悪くなるため、最大トーンナンバーまでビットを搭載することができない場合もある。
【０１８７】
具体的には、図３１を参照して、理論計算でのビットマップと実測でのビットマップとを比較して、実測での搭載ビット数が、全体にわたって理論計算における搭載ビット数に対して１ビット低い。また、ＡＤＳＬ伝送方式に対するＡＤＳＬ伝送方式の漏話の干渉は、遠端漏話が支配的であることが知られている。これらのことから、遠端漏話の相対的な強さを調整するパラメータである遠端漏話減衰量の大きさを決定する、遠端漏話の強度に用するパラメータであるＦＰＳＬ（遠端漏話減衰特性）を３ｄＢ小さく（漏話を大きく）し、つまりＦＰＳＬ＝４２．０ｄＢとしてビットマップを再計算する。また、必要に応じてノイズマージンの値を変化させてもよい。ＡＤＳＬ伝送方式におけるノイズマージンは、通常は、上り方向、下り方向ともに４ｄＢであるが、このノイズマージンを調整することにより、全てのキャリアの搭載ビット数を一様にフィッティングさせることができる。
【０１８８】
このように、ＦＰＳＬおよびノイズマージの合わせ込みを行なった後の理論計算でのビットマップと実測でのビットマップとを、図３２に示す。
【０１８９】
このような合わせ込み処理が上述のステップＳ１１１で行なわれることによって、各サブキャリアの搭載ビット数の和（ビットマップの面積に相当する）は、理論計算と実測とでほぼ一致する。したがって、この合わせ込み処理を行なうことで、伝送速度もほぼ一致する。これで、背景雑音下での速度の合わせ込みが完了する。
【０１９０】
なお、ＡＤＳＬ伝送方式のうちのＡｎｎｅｘ  Ｃ方式は、ＩＳＤＮ干渉下でも高い伝送速度を維持できるよう、ＮＥＸＴビットマップとＦＥＸＴビットマップという２種類のビットマップを用意している。その２種類のビットマップそれぞれを合わせ込むことにより、合わせ込み精度がより向上すると考えられる。
【０１９１】
なお、ステップＳ１０５およびＳ１１１におけるフィッティング処理の方法は、上述の方法に限定されず、さらに他の方法を用いてもかまわない。例えば、搭載可能なビット数を、実測のビットマップに合わせるためのパラメータであるビットやトーンを用いて合わせ込みを行なうこともできる。
【０１９２】
このように合わせ込んだパラメータを用いて、異なる漏話源下での伝送性能推定、異なるケーブル環境上での伝送性能推定、および異なる伝送システムの伝送性能推定を行なうことが可能である。
【０１９３】
そこで、以下に、ＩＳＤＮ漏話環境下でのＡＤＳＬ（Ｇ９９２．２）の０．４ｍｍ径ＣＣＰケーブル上の下り伝送性能を合わせ込んだ場合について、上述の３通りの推定の具体例について述べる。
【０１９４】
（異なる干渉源下での伝送性能推定）
たとえば、ＳＤＳＬ漏話環境下でのＡＤＳＬ（Ｇ９９２．２）の０．４ｍｍ径ＣＣＰケーブル上の下り伝送性能を推定することが可能である。この場合は、漏話源のスペクトルをＳＤＳＬのものに変更して計算すればよい。
【０１９５】
（異なるケーブル上での伝送性能推定）
ＩＳＤＮ干渉下でのＡＤＳＬ（Ｇ９９２．２）の０．５ｍｍ径ＣＣＰケーブル上の下り伝送性能を推定することが可能である。この場合は、ケーブルパラメータを０．５ｍｍ径ＣＣＰケーブルのものに変更して計算すればよい。
【０１９６】
（異なる伝送システムの伝送性能推定）
たとえば、ＩＳＤＮ漏話環境下でのＡＤＳＬ（Ｇ９９２．１）の０．４ｍｍ径ＣＣＰケーブル上の下り伝送性能を推定することが可能である。Ｇ９９２．１方式の場合、図６に示されるようにＧ９９２．２方式との違いはノイズマージンと最大トーンナンバーとである。ノイズマージンは、Ｇ９９２．１方式の方がＧ９９２．２方式よりも２ｄＢ高いので、Ｇ９９２．２方式を合わせ込んだ値に２ｄＢを加えた値を用いる。また、最大トーンナンバーは、Ｇ９９２．１方式の方がＧ９９２．２方式よりも１２８高いので、Ｇ９９２．２方式を合わせ込んだ値に１２８を加えた値を用いる。このようにすることで、Ｇ９９２．１方式下りの速度推定が可能である。
【０１９７】
さらに、ＩＳＤＮ（ベースバンド方式）の場合も、ＡＤＳＬ（マルチキャリア方式）と同様に、合わせ込んだパラメータを用いて、異なる漏話源下での伝送性能推定、異なるケーブル環境上での伝送性能推定、および異なる伝送システムの伝送性能推定を行なうことが可能である。
【０１９８】
そこで、以下に、ＡＤＳＬ漏話環境下でのＩＳＤＮの０．４ｍｍ径ＣＣＰケーブル上の下り伝送性能を合わせ込んだ場合について、上述の３通りの推定の具体例について述べる。
【０１９９】
（異なる干渉源下での伝送性能推定）
たとえば、ＳＤＳＬ漏話環境下でのＩＳＤＮの０．４ｍｍ径ＣＣＰケーブル上の下り伝送性能を推定することが可能である。この場合は、漏話源のスペクトルをＳＤＳＬのものに変更して計算すればよい。
【０２００】
（異なるケーブル上での伝送性能推定）
ＡＤＳＬ干渉下でのＩＳＤＮの０．５ｍｍ径ＣＣＰケーブル上の下り伝送性能を推定することが可能である。この場合は、ケーブルパラメータを０．５ｍｍ径ＣＣＰケーブルのものに変更して計算すればよい。
【０２０１】
（異なる伝送システムの伝送性能推定）
現在は、ＩＳＤＮと同様の伝送性能計算が可能なＤＳＬ方式は他に見当たらないが、将来新方式が開発された際に、これがＩＳＤＮと類似した伝送システムであった場合、その伝送システムの伝送性能推定を行なうことが可能である。たとえば、ＩＳＤＮの送信スペクトルが変更した場合、スペクトルを置換えて計算すれば伝送性能推定が可能である。
【０２０２】
さらに以下に、ＩＳＤＮの合わせ込みについて、より具体的に説明する。
ＩＳＤＮの速度性能の推定を行なう場合のフィッティング処理の具体例について、図３３にフローチャートを示す。なお、以下の処理例においては、具体的に、実測できる条件が、背景雑音環境下とＡＤＳＬ漏話環境下との２通りあるものとする。この２通りの条件で、ＩＳＤＮが伝送可能な最大距離を理論計算と実測とにより求める。すなわち、理論計算においては、ＳＮＲ＝２６．４６ｄＢ（しきい値）を確保できる最大距離を求め、実測では、実際にＩＤＳＮがつながる最大距離（ＩＳＤＮ到達可能距離）を計測する。
【０２０３】
図３３を参照して、始めに、ステップＳ２０１において、背景雑音環境下におけるＩＳＤＮ伝送方式での伝送可能な最大距離の理論値と実測値とを求める。
【０２０４】
次に、求めた伝送可能な最大距離の理論値と実測値とについて、有意な乖離が見られる場合（Ｓ２０３でＹＥＳ）、ステップＳ２０５において背景雑音強度を合わせ込む。なお、ステップＳ２０５における合わせ込み処理については、後述する。
【０２０５】
次に、ステップＳ２０７において、ＡＤＳＬ漏話環境下におけるＩＳＤＮ伝送方式での伝送可能な最大距離の理論値と実測値とを求める。このとき、上述のステップＳ２０５で合わせ込みを実行した場合には、合わせ込まれた背景雑音強度を用いてＡＤＳＬ漏話環境下におけるＩＳＤＮ伝送方式での伝送可能な最大距離の理論値を求める。
【０２０６】
次に、求めた伝送可能な最大距離の理論値と実測値とについて、有意な乖離が見られる場合（Ｓ２０９でＹＥＳ）、ステップＳ２１１において漏話減衰量を合わせ込む。
【０２０７】
以上で、フィッティング処理を終了し、このようにして合わせ込まれた値を用いることで、実測できない条件での速度推定を行なうことができる。
【０２０８】
なお、上述のフィッティング処理のステップＳ２０５およびステップＳ２１１における合わせ込み処理について具体例を挙げながら説明する。
【０２０９】
（背景雑音強度の合わせ込み）
背景雑音環境下の理論計算でのＩＳＤＮが伝送可能な最大距離の理論計算値が具体的に６．５ｋｍであり、実測値が５．５ｋｍであった場合、ステップＳ２０３においては、理論計算と実測とでは有意な乖離が見られると判断する。なお、ここでのシミュレーション計算に用いたパラメータは、
ＮＰＳＬ（近端漏話特性値）＝４７．０ｄＢ
ＦＰＳＬ（遠端漏話特性値）＝４５．０ｄＢ
背景雑音＝−１４０ｄＢｍ／Ｈｚ
である。ここでの有意な乖離であるか否かの判断方法については本発明において限定されるものではないが、具体的には、理論値と実測値との間に、しきい値以上の差異が存在することを検出することで判断されても構わない。また、その他の方法で判断されても構わない。このように有意な乖離が見られると判断されると、上述のステップＳ２０５にて背景雑音環境下での合わせ込みを実行する。
【０２１０】
上述の具体例の場合、実測でのＩＳＤＮの最大到達可能距離が理論値より小さいことから、実測の背景雑音が理論計算で想定している背景雑音（−１４０ｄＢｍ／Ｈｚ）より高いと推定し、背景雑音を想定している背景雑音より高く再設定して再計算する。
【０２１１】
ここでの背景雑音の再設定の仕方については、以下の方法が挙げられる。すなわち、実測での最大到達可能距離が５．５ｋｍであることから、５．５ｋｍ付近でのＳＮＲがしきい値（２６．４６ｄＢ）程度であると推定できる。一方、理論計算において５．５ｋｍ付近でのＳＮＲを算出すると４３ｄＢであった。このことから、実測の背景雑音は理論計算における背景雑音よりも１６．５ｄＢ程度高いものと推定し、理論計算における背景雑音強度を−１４０ｄＢｍ／Ｈｚから１６．５ｄＢ分程度高い−１２４ｄＢｍ／Ｈｚに再設定し、最大到達距離を再計算する。そして、再度、理論値と実測値との間に有意な乖離が見られるか否かの判断を行なう。この処理を繰返すことで、背景雑音の推定を行ない、理論計算における背景雑音を実測の背景雑音に合わせ込むことができる。
【０２１２】
（漏話減衰量の合わせ込み）
次に、上で再設定された背景雑音を用いて計算されたＡＤＳＬ漏話環境下の理論計算での伝送可能な最大距離と、実測での伝送可能な最大距離とを用いて、理論計算における漏話減衰量を合わせ込む。
【０２１３】
上の具体例において背景雑音は−１２４ｄＢｍ／Ｈｚに再設定されているので、その値を用いて、ＩＳＤＮの最大到達距離を再計算する。その結果、最大到達距離が３．２５ｋｍであり、実測値が３．７５ｋｍであった場合、ステップＳ２０９においては、理論計算と実測とでは有意な乖離が見られると判断する。
【０２１４】
上述の具体例の場合、実測でのＩＳＤＮの最大到達可能距離が理論値より大きいことから、実測での漏話特性が理論計算で想定している漏話特性より小さいと推定し、漏話特性（ＮＰＳＬ、ＦＰＳＬ）を変化させて再設定し、再計算する。
【０２１５】
ここでの漏話特性の再設定の仕方については、上述のステップＳ２０５における処理と同様の方法が挙げられる。すなわち、実測での最大到達可能距離が３．７５ｋｍであることから、３．７５ｋｍ付近でのＳＮＲがしきい値（２６．４６ｄＢ）程度であると推定できる。一方、理論計算において３．７５ｋｍ付近でのＳＮＲを算出すると２１．１ｄＢであった。このことから、実測の漏話減衰量は理論計算で想定している漏話減衰量よりも約５ｄＢ大きい（漏話が小さい）と推定する。ＩＳＤＮ伝送方式に対するＡＤＳＬ伝送方式の漏話の干渉は、近端漏話が支配的であることが知られている。そこで、理論計算における近端漏話減衰量を変化させ、すなわち、ＮＰＳＬを大きく再設定し、最大到達距離を再計算する。そして、再度、理論値と実測値との間に有意な乖離が見られるか否かの判断を行なう。この処理を繰返すことで、ＮＰＳＬの推定を行ない、理論計算における漏話減衰量を実測の漏話減衰量に合わせ込むことができる。なお、上の具体例においては、ＮＰＳＬを６ｄＢ大きい５３．０ｄＢと再設定した場合に、最大到達距離が３．７５ｋｍと再計算され、実測値と一致した。
【０２１６】
このような合わせ込み処理がステップＳ２０５、Ｓ２１１で行なわれることによって、背景雑音、および漏話減衰量（近端漏話特性、遠端漏話特性）は、理論計算と実測とでほぼ一致する。
【０２１７】
このように、本実施の形態におけるシミュレーションプログラムを用いることで、プログラム上の設定パラメータを実機器の特性に合わせた値に変更することのみで、実測では困難な条件での実機器の性能を高精度で推定することができる。
【０２１８】
また、本実施の形態におけるシミュレーションプログラムにおいて、従来の実機器の設定パラメータ値を用いて、開発途上あるいは開発予定の実機器の性能を推定することも可能である。
【０２１９】
さらに、上述のシミュレーションプログラムを、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０２２０】
提供されるプログラム製品は、ハードディスクなどのプログラム格納部にインストールされて実行される。
【０２２１】
なお、プログラム製品は、プログラム自体と、プログラムが記録された記録媒体とを含む。
【０２２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】回線モデルの具体例を示す図である。
【図２】本シミュレーションプログラムにおけるシミュレーション方法の具体例を示す図である。
【図３】シンボルレートｆｓｙｍを表示した図である。
【図４】近端漏話と遠端漏話とを示す図である。
【図５】４種類の材質および直径の伝送線における伝送線減衰定数を示す図である。
【図６】ＡＤＳＬの伝送特性の評価を行なう際のパラメータを表形式で示す図である。
【図７】ＳＳＤＳＬの伝送特性の評価を行なう際のパラメータを表形式で示す図である。
【図８】各伝送方式の特性を示す図である。
【図９】ＴＣＭ−ＡＭＩ  ＩＳＤＮ（Ｊａｐａｎ）が漏話源となる場合の漏話側の伝送信号ＰＳＤと、２Ｂ１Ｑ  ＩＳＤＮ（ＵＳＡ）が漏話源となる場合の漏話側の伝送信号ＰＳＤとについて示す図である。
【図１０】Ｇ．９９２．１  （ＡＤＳＬ  Ｇ．ｄｍｔ）ＡｎｎｅｘＡ／ＡｎｎｅｘＣ−ＤＢＭの下り方向が漏話源となる場合の漏話側の伝送信号ＰＳＤと、上り方向が漏話源となる場合の漏話側の伝送信号ＰＳＤとを示す図である。
【図１１】Ｇ．９９２．２  （ＡＤＳＬ  Ｇ．ｌｉｔｅ）ＡｎｎｅｘＡ／ＡｎｎｅｘＣ−ＤＢＭの下り方向が漏話源となる場合の漏話側の伝送信号ＰＳＤと、上り方向が漏話源となる場合の漏話側の伝送信号ＰＳＤとを示す図である。
【図１２】Ｇ．９９１．１（ＨＤＳＬ）  ＡｎｎｅｘＡ（２Ｂ１Ｑ）が漏話源となる場合と、ＳＤＳＬ（２Ｂ１Ｑ）が漏話源となる場合とにおいて、ＳＤＳＬ（２Ｂ１Ｑ）におけるデータ伝送速度が７８４（ｋｂｐｓ）、１５５２（ｋｂｐｓ）、および２３２０（ｋｂｐｓ）である場合の漏話側の伝送信号ＰＳＤを示す図である。
【図１３】ＨＤＳＬ（ＣＡＰ）が漏話源となる場合の漏話側の送信信号ＰＳＤ平均電力をグラフ形式で示す図である。
【図１４】ＨＤＳＬ（ＣＡＰ）が漏話源となる場合の漏話側の送信信号ＰＳＤ平均電力を表形式で示す図である。
【図１５】Ｇ．９９１．２（ＳＨＤＳＬ，ＰＡＭ）ＡｎｎｅｘＡ  Ａｓｙｍｍｔｒｉｃ  ＰＳＤ  １．５Ｍｂｐｓの下り方向が漏話源となる場合の、ＰＳＤマスクをグラフ形式で示す図である。
【図１６】Ｇ．９９１．２（ＳＨＤＳＬ，ＰＡＭ）ＡｎｎｅｘＡ  Ａｓｙｍｍｔｒｉｃ  ＰＳＤ  １．５Ｍｂｐｓの下り方向が漏話源となる場合の、ＰＳＤマスクを表形式で示す図である。
【図１７】Ｇ．９９１．２（ＳＨＤＳＬ，ＰＡＭ）ＡｎｎｅｘＡ  Ａｓｙｍｍｔｒｉｃ  ＰＳＤ  １．５Ｍｂｐｓの上り方向が漏話源となる場合の、ＰＳＤマスクをグラフ形式で示す図である。
【図１８】Ｇ．９９１．２（ＳＨＤＳＬ，ＰＡＭ）ＡｎｎｅｘＡ  Ａｓｙｍｍｔｒｉｃ  ＰＳＤ  １．５Ｍｂｐｓの上り方向が漏話源となる場合の、ＰＳＤマスクを表形式で示す図である。
【図１９】Ｇ．９９１．２（ＳＨＤＳＬ，ＰＡＭ）ＡｎｎｅｘＡ  Ｓｙｍｍｔｒｉｃ  ＰＳＤの伝送方式が漏話源となる場合の漏話側の伝送信号ＰＳＤを計算する際のパラメータを示す図である。
【図２０】ＳＨＤＳＬ（対称ＰＳＤ）の伝送方式が漏話源となる場合において、データ伝送速度が１５３６（ｋｂｐｓ）、７６８（ｋｂｐｓ）、および３８４（ｋｂｐｓ）のときの漏話側の伝送信号ＰＳＤを示す図である。
【図２１】ＩＳＤＮの伝送特性を評価するためのシミュレーションプログラムのワークシートの一部の具体例を示す図である。
【図２２】シミュレーションプログラムにおいて用いる伝送線路の減衰特性を、一覧表形式で示す図である。
【図２３】本シミュレーションプログラムの実行途中で算出されるすべての伝送方式の送信信号ＰＳＤと近端漏話によるＰＳＤとを出力させるためのワークシートの具体例を示す図である。
【図２４】ＡＤＳＬの伝送特性を評価するためのシミュレーションプログラムのワークシートの一部の具体例を示す図である。
【図２５】ＡＤＳＬの伝送特性を評価するためのシミュレーションプログラムのワークシートの一部の具体例を示す図である。
【図２６】本シミュレーションプログラムが用いる、各伝送方式において使用されるキャリアを考慮した、性能値推定の手法を示す図である。
【図２７】ＡＤＳＬの速度性能の推定を行なう場合のフィッティング処理の具体例を示すフローチャートである。
【図２８】背景雑音環境下の理論計算でのビットマップと実測でのビットマップとの具体例を示す図である。
【図２９】最大、最小トーンナンバーの合わせ込みを行なった後の理論計算でのビットマップと実測でのビットマップとの具体例を示す図である。
【図３０】背景雑音強度の合わせ込みを行なった後の理論計算でのビットマップと実測でのビットマップとの具体例を示す図である。
【図３１】ＡＤＳＬ漏話環境下の理論計算でのビットマップと実測でのビットマップとの具体例を示す図である。
【図３２】ＦＰＳＬおよびノイズマージの合わせ込みを行なった後の理論計算でのビットマップと実測でのビットマップとの具体例を示す図である。
【図３３】ＩＳＤＮの速度性能の推定を行なう場合のフィッティング処理の具体例を示すフローチャートである。
【図１】
2004328065.tif 000023
【図２】
2004328065.tif 000024
【図３】
2004328065.tif 000025
【図４】
2004328065.tif 000026
【図５】
2004328065.tif 000027
【図６】
2004328065.tif 000028
【図７】
2004328065.tif 000029
【図８】
2004328065.tif 000030
【図９】
2004328065.tif 000031
【図１０】
2004328065.tif 000032
【図１１】
2004328065.tif 000033
【図１２】
2004328065.tif 000034
【図１３】
2004328065.tif 000035
【図１４】
2004328065.tif 000036
【図１５】
2004328065.tif 000037
【図１６】
2004328065.tif 000038
【図１７】
2004328065.tif 000039
【図１８】
2004328065.tif 000040
【図１９】
2004328065.tif 000041
【図２０】
2004328065.tif 000042
【図２１】
2004328065.tif 000043
【図２２】
2004328065.tif 000044
【図２３】
2004328065.tif 000045
【図２４】
2004328065.tif 000046
【図２５】
2004328065.tif 000047
【図２６】
2004328065.tif 000048
【図２７】
2004328065.tif 000049
【図２８】
2004328065.tif 000050
【図２９】
2004328065.tif 000051
【図３０】
2004328065.tif 000052
【図３１】
2004328065.tif 000053
【図３２】
2004328065.tif 000054
【図３３】
2004328065.tif 000055